(57)【要約】【課題】加工がし易く、包装作業のし易い材料で形成した場合であっても比較的大きな外力に対向して収納空間の高さを維持することができる包装容器を提供することを目的とする。【解決手段】折線（Ｌ１）で互いの一辺が接続された第１，第２側板（Ｓ１，Ｓ２）と、第１，第２側板（Ｓ１，Ｓ２）の先端に接続され内側に向かって折り返される第１，第２フラップ（Ｆ１，Ｆ２）と、第１，第２側板（Ｓ１，Ｓ２）が折り曲げられた状態に係止する係止部（Ｐ１，Ｐ２）とを設けて収納空間（Ｋ）を形成するとともに、第１，第２フラップ（Ｆ１，Ｆ２）の先端同士を切り欠き（ｍ１，ｍ２）で係合させたことを特徴とする。【選択図】図１
2012246004.tif 000002
【特許請求の範囲】
【請求項１】
折線で互いの一辺が接続された第１，第２側板と、
前記第１側板の先端に接続され内側に向かって折り返される第１フラップと、
前記第２側板で前記第１フラップが接続された前記第１側板の前記先端と同じ側に設けられた第２フラップと、
前記第１，第２側板が前記折線で折り曲げられた状態に係止する係止部と
を設け、前記折線で畳まれた前記第１，第２側板と内側に向かって折り返された前記第１，第２フラップとで囲まれた内側に保護対象を覆う収納空間を形成するとともに、
前記内側に向かって折り返された前記第１，第２フラップの先端同士を係合させた状態に保持する係止部を設けた
包装容器。
【請求項２】
前記係止部は、前記第１，第２フラップの先端の中央に形成された切り欠きである
請求項１記載の包装容器。
【請求項３】
前記係止部は、前記第２フラップの先端の中央に形成された差し込み孔である
請求項１記載の包装容器。
【請求項４】
前記収納空間は、前記第１，第２側板の前記第１，第２フラップが設けられた側と反対側の基端が開放されている
請求項１記載の包装容器。
【発明の詳細な説明】
【技術分野】
【０００１】
本発明は、包装容器に関するものである。
【背景技術】
【０００２】
化粧用ブラシを輸送または陳列に際しては、軸の先端に形成されている穂先の形状ならびに毛先を痛めないように、筆本体に対して筆穂を出退可能に構成したり、筆穂に被せるキャップを設けたものが主流である。
【先行技術文献】
【特許文献】
【０００３】
【特許文献１】特開２００７−２６８１００号公報
【特許文献２】特開２０１０−１６２１９０号公報
【特許文献３】特開２０１０−２００９２３号公報
【特許文献４】特開２０１１−０８７６７５号公報
【発明の概要】
【発明が解決しようとする課題】
【０００４】
化粧パウダーなどを塗布する化粧用ブラシの筆穂の形状は様々であって、肌触りを考えて、肌に触れる面積が大きくなるように、筆軸の先端に取り付けられた筆穂は、筆軸の直径よりも太く膨らんでいるものが多い。
【０００５】
このように筆穂の大きい化粧用ブラシの包装容器としては、図８，図９に示すものが考えられる。
図８は展開図、図９（ａ）は組み立てた包装容器１によって化粧用ブラシ２の筆穂２ｂを包装した状態を示している。
【０００６】
包装容器１は、ポリプロピレン製シートを折り畳んで構成されている。略三角状の第１側板Ｓ１と第２側板Ｓ２の互いの一辺は、第１折線Ｌ１で接続されている。第１側板Ｓ１の先端には、内側に向かって折り返される第１フラップＦ１が第２折線Ｌ２で接続されている。第２側板Ｓ２の先端には、内側に向かって折り返される第２フラップＦ２が第３折線Ｌ３で接続されている。
【０００７】
第２側板Ｓ２の第１折線Ｌ１で第１側板Ｓ１と接続された反対側の辺には、第１折線Ｌ１で折り曲げられた第１側板Ｓ１の外側に被せられる第３フラップＦ３が接続されている。さらに、第３フラップＦ３の内側には雌の面ファスナ片Ｐ１が接着されている。面ファスナ片Ｐ１に対応する第１側板Ｓ１の外側の位置には、雄の面ファスナ片Ｐ２が接着されている。
【０００８】
なお、第１側板Ｓ１と第１フラップＦ１を接続している第２折線Ｌ２は、第１側板Ｓ１の先端両側に比べて中央が第１側板Ｓ１の内側に入り込むように湾曲している。第２側板Ｓ２と第２フラップＦ２を接続している第３折線Ｌ３も同様に、第２側板Ｓ２の先端両側に比べて中央が第２側板Ｓ２の内側に入り込むように湾曲している。
【０００９】
この場合、化粧用ブラシ２を入れて第１側板Ｓ１と第２側板Ｓ２を第１折線Ｌ１で折り曲げて、面ファスナ片Ｐ１と面ファスナ片Ｐ２を係合させた後に、第１，第２フラップＦ１，Ｆ２をそれぞれ第２，第３折線Ｌ２，Ｌ３で折り返すことによって、筆穂２ｂを取り囲む収納空間Ｋが第１，第２側板Ｓ１，Ｓ２と第１，第２フラップＦ１，Ｆ２で囲まれて形成される。
【００１０】
収納空間Ｋの形状を保持する力は、第１，第２側板Ｓ１，Ｓ２などを形成する材料とその板厚によって左右される。加工がし易く、包装作業のし易さから、１００μｍ〜２００μｍの厚さのポリプロピレンシートを使用した場合、収納空間Ｋを押し潰そうとする設定以上の外力が作用した場合、第１，第２フラップＦ１，Ｆ２が外側に開いてしまって、図９（ｂ）に示すように収納空間Ｋの高さが、ｈ１からｈ３に半減する。
【００１１】
このように収納空間Ｋの高さがｈ３に半減した場合には、化粧用ブラシ２の筆穂２ｂの膨らんだ形状を損なう。
本発明は、加工がし易く、包装作業のし易い材料で形成した場合であっても比較的大きな外力に対向して収納空間Ｋの高さを維持することができる包装容器を提供することを目的とする。
【課題を解決するための手段】
【００１２】
本発明の包装容器は、折線で互いの一辺が接続された第１，第２側板と、前記第１側板の先端に接続され内側に向かって折り返される第１フラップと、前記第２側板で前記第１フラップが接続された前記第１側板の前記先端と同じ側に設けられた第２フラップと、前記第１，第２側板が前記折線で折り曲げられた状態に係止する係止部とを設け、前記折線で折り曲げられた前記第１，第２側板と内側に向かって折り返された前記第１，第２フラップとで囲まれた内側に保護対象を覆う収納空間を形成するとともに、前記内側に向かって折り曲げられた前記第１，第２フラップの先端同士を係合させた状態に保持する係止部を設けたことを特徴とする。
【発明の効果】
【００１３】
本発明によれば、内側に向かって折り曲げられた第１，第２フラップの先端同士を係合させた状態に保持する係止部を設けたため、第１，第２フラップ同士の重なり代を少なくして収納空間の高さを高くすることができる。しかも、第１フラップを開放しようとする方向の一部が第２のフラップによって支持され、第２フラップを開放しようとする方向の一部が第１のフラップによって支持することができるため、加工がし易く、包装作業のし易い材料で形成した場合であっても比較的大きな外力に対向して収納空間の高さを維持することができる。
【図面の簡単な説明】
【００１４】
【図１】本発明の実施の形態１における包装容器の展開図
【図２】（ａ）（ｂ）本発明の実施の形態１における包装容器によって保護対象品を包装する過程の斜視図と（ｃ）包装が完了した状態の斜視図
【図３】（ａ）比較例と（ｂ）本発明の実施の形態１の包装容器の包装状態の端面図
【図４】本発明の実施の形態２における包装容器の展開図
【図５】本発明の実施の形態３における包装容器の展開図
【図６】本発明の実施の形態３における包装状態の斜視図
【図７】（ａ）本発明の実施の形態４における包装容器によって保護対象品を包装する過程の要部の斜視図と（ｂ）包装が完了した状態の要部の斜視図
【図８】比較例の包装容器の展開図
【図９】（ａ）比較例の包装容器によって保護対象品の包装が完了した状態の斜視図と（ｂ）包装容器の収納空間が外力で潰れた状態の斜視図
【発明を実施するための形態】
【００１５】
以下、本発明の各実施の形態を、図１〜図７に基づいて説明する。
なお、図８，図９に示した比較例と同じ構成要素については同じ符号を用いて説明する。
【００１６】
（実施の形態１）
図１は展開図、図２（ｃ）は組み立てた包装容器１によって化粧用ブラシ２の筆穂２ｂを包装した状態を示している。図２（ａ）（ｂ）は包装の途中を示している。
【００１７】
比較例との違いは、第１，第２フラップＦ１，Ｆ２の先端同士を係合させる係止部としての切り欠きｍ１，ｍ２が形成されている。
包装容器１は、包装作業のし易さから、１００μｍ〜２００μｍ程度の厚さのポリプロピレンシートを使用して折り畳んで構成されている。略三角状の第１側板Ｓ１と第２側板Ｓ２の互いの一辺は、第１折線Ｌ１で接続されている。第１側板Ｓ１の先端には、内側に向かって折り返される第１フラップＦ１が第２折線Ｌ２で接続されている。第２側板Ｓ２の先端には、内側に向かって折り返される第２フラップＦ２が第３折線Ｌ３で接続されている。
【００１８】
第２側板Ｓ２の第１折線Ｌ１で第１側板Ｓ１と接続された反対側の辺には、第１折線Ｌ１で折り曲げられた第１側板Ｓ１の外側に被せられる第３フラップＦ３が第４折線Ｌ４で接続されている。さらに、第３フラップＦ３の内側には雌の面ファスナ片Ｐ１が接着されている。面ファスナ片Ｐ１に対応する第１側板Ｓ１の外側の位置には、雄の面ファスナ片Ｐ２が接着されている。
【００１９】
なお、第１側板Ｓ１と第１フラップＦ１を接続している第２折線Ｌ２は、第１側板Ｓ１の先端両側に比べて中央が第１側板Ｓ１の内側に入り込むように湾曲している。第２側板Ｓ２と第２フラップＦ２を接続している第３折線Ｌ３も同様に、第２側板Ｓ２の先端両側に比べて中央が第２側板Ｓ２の内側に入り込むように湾曲している。
【００２０】
包装容器１による包装は次のように実施する。
第１側板Ｓ１と第２側板Ｓ２を第１折線Ｌ１で折り曲げて、第１側板Ｓ１と第２側板Ｓ２の間に化粧用ブラシ２を挟み、面ファスナ片Ｐ１と面ファスナ片Ｐ２を係合させた後に、第１，第２フラップＦ１，Ｆ２をそれぞれ図２（ａ）に示すように第２，第３折線Ｌ２，Ｌ３で折り返す。次に、図２（ｂ）に示すように第１，第２側板Ｓ１，Ｓ２の先端を矢印Ａ，Ａで示すように両側から押さえて第１，第２フラップＦ１，Ｆ２を変形させ、前記矢印Ａ，Ａで示した両側からの押さえを解除する際に、第１，第２フラップＦ１，Ｆ２の切り欠きｍ１，ｍ２を図２（ｃ）に示すように係合させた包装完了状態を得る。収納空間Ｋは、第１，第２側板Ｓ１，Ｓ２の第１，第２フラップＦ１，Ｆ２が設けられた側と反対側の基端は、化粧用ブラシ２の筆軸２ａが通過するように開放されている。
【００２１】
図３（ａ）は図９（ａ）に示した比較例の包装完了状態の包装空間Ｋの厚みｈ１を示し、図３（ｂ）は第１，第２フラップＦ１，Ｆ２の切り欠きｍ１，ｍ２を図２（ｃ）のように互いに係合させた場合の包装空間Ｋの厚みｈ２を示す。このように内側に向かって折り返された第１，第２フラップＦ１，Ｆ２の先端同士を、切り欠きｍ１，ｍ２によって互いに係合させた状態に保持することによって、比較例の包装空間Ｋの厚みｈ１よりも大きな厚みｈ２の包装空間Ｋを実現でき、しかも、図２（ｃ）に矢印Ｂ，Ｂで示すように収納空間Ｋを押し潰そうとする外力が作用した場合であっても、第１，第２フラップＦ１，Ｆ２の切り欠きｍ１，ｍ２が互いに係合しているため、第１フラップＦ１が変形しないように第２フラップＦ２によって保持され、更に、第２フラップＦ２が変形しないように第１フラップＦ１によって保持されるため、比較例と同じ板厚で同じ材質で製作した場合であっても、比較例の場合よりも大きな外力が作用しても、図９（ｂ）のように第１，第２フラップＦ１，Ｆ２が開いて収納空間Ｋが潰れない。よって、化粧用ブラシ２の膨らんだ形状の筆穂２ｂを比較例の場合よりもより確実に保護できる。
【００２２】
（実施の形態２）
図４は本発明の実施の形態２を示す。
実施の形態１では、面ファスナ片Ｐ１と面ファスナ片Ｐ２の係合によって第１，第２側板Ｓ１，Ｓ２を折線Ｌ１で折り曲げた状態に係止したが、この実施の形態２では、第３フラップＦ３に切り込みＪ１を形成して挿入片Ｑを形成し、挿入片Ｑに対応して第１側板Ｓ１に挿入片Ｑが差し込まれる挿入孔Ｒを形成して構成することもできる。
【００２３】
（実施の形態３）
図５は本発明の実施の形態３の展開図、図６は包装状態の斜視図を示す。
実施の形態１では、筆穂２ｂの周囲が第１，第２側板Ｓ１，Ｓ２によって一重に巻かれていたが、この実施の形態３では、第２側板Ｓ２と第３フラップＦ３の間に第３側板Ｓ３が形成されて、筆穂２ｂの周囲が第１，第２側板Ｓ１，Ｓ２によって一重に巻かれるとともに、更に第１側板Ｓ１の外側に第３側板Ｓ３を重ねて補強されている。この場合、面ファスナ片Ｐ１が係合する面ファスナ片Ｐ２は、面ファスナ片Ｐ１の位置に対応して第２側板Ｓ２の外側に形成されている。
【００２４】
なお、第１，第２側板Ｓ１，Ｓ２を折線Ｌ１で折り曲げた状態に保持する係止部を、実施の形成２と同様に、第３フラップＦ３に形成された挿入片Ｑと、挿入片Ｑに対応して第２側板Ｓ２に挿入孔Ｒを形成して構成することもできる。
【００２５】
（実施の形態４）
図７（ａ）（ｂ）は本発明の実施の形態４を示す。
実施の形態１では、第１，第２フラップＦ１，Ｆ２の先端同士を係合させる係止部が切り欠きｍ１，ｍ２で構成されていたが、この実施の形態４では、図７（ａ）に示すように第２フラップＦ２に切り込みＪ２を形成してリップ片Ｕを形成し、図７（ａ）に示すように第１，第２側板Ｓ１，Ｓ２の先端を矢印Ａ，Ａで示すように両側から押さえて第１，第２フラップＦ１，Ｆ２を変形させ、前記矢印Ａ，Ａで示した両側からの押さえを解除する際に、図７（ｂ）に示すように第１フラップＦ１を第２フラップＦ２のリップ片Ｕの下側に差し込んで包装完了状態を得ることもできる。
【００２６】
なお、この実施の形態４では側板が第１，第２側板Ｓ１，Ｓ２の２枚の場合であったが、実施の形態３のように第１，第２，第３側板Ｓ１，Ｓ２，Ｓ３の３枚の場合であっても同様に実施できる。
【００２７】
上記の各実施の形態において、第１，第２側板Ｓ１，Ｓ２を折線Ｌ１で折り曲げた状態に係止する係止部を、面ファスナ片Ｐ１と面ファスナ片Ｐ２、または挿入片Ｑと挿入孔Ｒなどで構成したが、接着剤または粘着テープなどで第１，第２側板Ｓ１，Ｓ２を折線Ｌ１で折り曲げた状態に係止するように構成することもできる。または、第１，第２側板Ｓ１，Ｓ２を折線Ｌ１で折り曲げた状態でその外側を取り巻く環状ベルトや、第１，第２側板Ｓ１，Ｓ２を折線Ｌ１で折り曲げた状態でその外側を取り巻く袋によって構成することもできる。
【産業上の利用可能性】
【００２８】
本発明は、化粧用ブラシなどの商品のように軸の先端に形成された保護対象を確実に包装することができ、壊れやすい商品の流通中だけでなく、商品の保管に有効である。
【符号の説明】
【００２９】
１    包装容器
２    化粧用ブラシ
２ａ    筆軸
２ｂ    筆穂
Ｆ１，Ｆ２，Ｆ３    第１，第２，第３フラップ
ｍ１，ｍ２    切り欠き（係止部）
Ｓ１，Ｓ２，Ｓ３    第１，第２，第３側板
Ｌ１，Ｌ２，Ｌ３，Ｌ４    第１，第２，第３，第４折線
Ｐ１，Ｐ２    面ファスナ片
Ｊ１，Ｊ２    切り込み
Ｋ    収納空間
Ｑ    挿入片
Ｒ    挿入孔
Ｕ    リップ片
【図１】
2012246004.tif 000003
【図２】
2012246004.tif 000004
【図３】
2012246004.tif 000005
【図４】
2012246004.tif 000006
【図５】
2012246004.tif 000007
【図６】
2012246004.tif 000008
【図７】
2012246004.tif 000009
【図８】
2012246004.tif 000010
【図９】
2012246004.tif 000011